(57)【要約】【課題】  大型スーパー等の散在するゴミ箱等の設置場所からゴミ廃棄物等を嵩張ったまま回収運搬するので、回収回数が多くなって無駄な時間を要していた。【解決手段】  把手を有した走行台車と、この走行台車上にスクリュープレスと、スクリュープレスの排出口に連結する回収袋と、スクリュープレスを駆動する電動モータと、回収袋の収納室とを載置した歩行移動型廃棄物減容装置を構成して、ゴミ箱等の設置場所毎にゴミ廃棄物を圧縮減容しながら回収袋を収納室へ収納して搬送するので、ゴミの積み換え作業が楽になって、さらに回収回数が減少した。【選択図】      図１
2005330038.tif 000002
【特許請求の範囲】
【請求項１】
把手を有した走行台車と、この走行台車上にスクリュープレスと、スクリュープレスの排出口に連結する回収袋と、スクリュープレスを駆動する電動モータと、回収袋の収納室とを載置した歩行移動型廃棄物減容装置。
【請求項２】
スクリュープレスの排出口に連結した回収袋は、圧縮処理物が送られ、回収袋内の圧縮処理物に対してスクリュープレスの付勢力が作用して復元力が防止されながら充填されるとともに電動モータを駆動するバッテリーを装備してなる請求項１記載の歩行移動型廃棄物減容装置。
【請求項３】
回収袋に廃棄物が投入されて所定の投入量に達したことを感知するセンサーを設けてスクリュープレスを停止させる請求項１記載の歩行移動型廃棄物減容装置。
【発明の詳細な説明】
【技術分野】
【０００１】
本発明は、大型スーパー、階層の多いビル事務所、駅等の紙ゴミ、紙コップ、ビニール類、ペットボトル等の廃棄物（以下一般ゴミ等という）に対する歩行移動型の減容装置に関する。
【背景技術】
【０００２】
大規模スーパー、階層の多いビル事務所、駅等の廃棄物は、一般ゴミ等のゴミ箱が設置する場所までゴミ回収運搬車で移動して小口のゴミ袋を大型のゴミ収納ボックスに積み換えをして一箇所に収集して外部の専門業者に依託される。近年は、ビルメンテナンス業者が請負いで清掃業務とそのゴミの回収作業をしているところもある。
【０００３】
しかし、前記一般ゴミ等は直接現場では立体的な原形のままゴミ箱やゴミ袋に捨てるので、嵩張って大きな容積を占めて運搬効率が悪くなる問題がある。嵩張ったゴミを圧縮して減容するものとして「シート状物の圧縮梱包機」（特許文献１）が知られ、建物外部へ搬出するための開袋現場等に局所配置することが開示されている。
【特許文献１】特開平６−２６９９９７号公報
【発明の開示】
【発明が解決しようとする課題】
【０００４】
前記したシート状物の圧縮梱包機は局所設置型で、シート状の減容をして建物外部へ搬送する分には便利であるが、以前として大型スーパーや階層の多いビル事務所、駅内に散在した個別のゴミ箱設置場所に回収運搬車を仕向けて回収する作業は残り、その嵩張ったゴミは何回にも分けられ回収されるという無駄が発生するとともに、その局所に移動されてその運搬車に積まれたゴミを再度、局所設置型の減容装置に積み換えて投入するという作業が発生して、収集運搬積み換えに多大な時間を要して人件費も高くなる問題が発生する。
【課題を解決するための手段】
【０００５】
上記課題を解決するために、把手を有した走行台車と、この走行台車上にスクリュープレスと、スクリュープレスの排出口に連結する回収袋と、スクリュープレスを駆動する電動モータと、回収袋の収納室とを載置した歩行移動型廃棄物減容装置を提供したものである。
【０００６】
そして、上記歩行移動型廃棄物減容装置において、スクリュープレスの排出口に連結した回収袋は、圧縮処理物が送られ、回収袋内の圧縮処理物に対してスクリュープレスの付勢力が作用して復元力が防止されながら充填されるとともに電動モータを駆動するバッテリーを装備したことを特徴としたものである。
【０００７】
また、上記歩行移動型廃棄物減容装置において、回収袋に廃棄物が投入されて所定の投入量に達したことを感知するセンサーを設けてスクリュープレスを停止させることを特徴とするものである。
【発明の効果】
【０００８】
以上のような構成にしたので、広く散在したゴミ箱設置場所の現場にゴミを回収運搬に行く行程において、設置場所において最少限に圧縮減容された回収袋を運搬走行台車には効率よく積載されるので、その運搬回数が減って人件費も削減されるものである。
又、回収袋内の圧縮処理物に対してスクリュープレス内の付勢力が作用するので、スクリュープレスの一回の圧縮作業で袋内の減容状態を保持するので、わざわざ別体の回収袋の圧縮動作を必要とすることなく、又、移動しながらバッテリーによって減容作業ができるので、運搬移動時間が効率的である。
又、回収袋に投入量感知センサーを設けたので、ゴミ袋内の減容投入量は常に一定になり、作業者はゴミの投入に専念できて便利である。
【発明を実施するための最良の形態】
【０００９】
以下、本発明を実施した図面に基づいて構成を説明する。図１は本発明を実施した側面図で一部を省略している。図２は平面図で一部を省略している。図３は動力伝達を示す後面図で、図４は正面図を示したものである。
【００１０】
図１において、１は走行台車を示し、Ｌ字状のフレームに対して前方に一対の自在キャスタ、後方に一対の車輪２２を装備して、後方防止には把手を設けて走行自在に構成されている。
【００１１】
２はスクリュープレスを示し、走行台車台１の中央部に前後方向に水平に設置される。３は主軸で、スクリュー状の羽根４を設けて排出口６に向けて押し出す。羽根４のピッチは排出口に向けて少しずつ細かく設定される。
【００１２】
１２はホッパで、紙、ペットボトル、ビニール等の一般ゴミの廃棄物が投入される。１１はホッパ１２に設けた破砕機を示し、ホッパに投入された廃棄物を被覆するビニール袋を破砕したり、塊状のゴミを細かくするものである。７はフックを示し、排出口６の上端と下端に設けて回収袋１０のループ２５を引っ掛ける。
【００１３】
排出口６の端部に１０の回収袋の側面上部に設けた巾着状の入り口を連結している。巾着状の入り口にはひもが設けられて、その両端部がループ２５を形成してフック７に掛けられている。従って、スクリュープレス２によって圧縮減容された処理物は、順次回収袋１０に送られ回収袋１０内は充填され、次第にスクリュープレス２の加圧付勢力を受けながら上部も満たされ膨張する。
【００１４】
８は感知センサーを示し、スクリュープレス２の排出口６に連結した回収袋１０の上面を押圧するように設置される。感知センサー８は回収袋１０に減容された処理物が投入されて上部まで達すると、上方へ押圧されてリミットスイッチ９に接して電気制御回路を経由してスクリュープレス２の回転を停止させる。同時に操作パネル２４に満タンランプが表示されて、オペレーターは回収袋１０を交換する。
【００１５】
２０は水受けで、円筒ケース５の排出口６側に設けた孔から排出される廃液を収集してタンク２１に溜めるものである。
【００１６】
１６はスプロケットで、主軸３の一端部に設けられる。１７はスプロケットで、破砕機１１を駆動するものである。２３は回収袋１０に処理物を充填したものを載置して保管する収納室である。１３はホッパ１２の蓋である。２４は把手１４の中間部に設けた操作パネルである。
【００１７】
図２，図３において、１８，１９は電動モータを示し、１５のバッテリーに連結されて駆動する。１８の電動モータはスプロケット，チェーンを介して破砕機１１のスプロケット１７を駆動する。１９の電動モータはスプロケット，チェーンを介してスクリュープレス２の主軸３に設けたスプロケット１６を駆動する。又、電動モータ１８には減速手段を介在させて前記した車輪２２を駆動連結すると自走駆動台車として運転可能であり、本発明の要旨は同一である。
【００１８】
図４において、６はスクリュープレス２の排出口を示す。８は感知センサーで、排出口６に収納袋１０を設置した時に回収袋１０の上面に位置する。回収袋１０は下段収納部にスクリュープレス２に取り付けたものと隣接したものと２個、上段の収納室２３に２個の計４個を備えることができる。
【図面の簡単な説明】
【００１９】
【図１】本発明を実施した側面図で一部を省略している
【図２】平面図で一部を省略している
【図３】動力伝達を示す後面図
【図４】正面図
【符号の説明】
【００２０】
１      走行台車
２      スクリュープレス
３      主軸
４      羽根
５      円筒ケース
６      排出口
７      フック
８      感知センサー
９      リミットスイッチ
１０    回収袋
１１    破砕機
１２    ホッパー
１３    蓋
１４    把手
１５    バッテリー
１６    スプロケット
１７    スプロケット
１８    電動モータ
１９    電動モータ
２０    水受け
２１    タンク
２２    車軸
２３    収納室
２４    操作パネル
２５    ループ
【図１】
2005330038.tif 000003
【図２】
2005330038.tif 000004
【図３】
2005330038.tif 000005
【図４】
2005330038.tif 000006